(57)【要約】【課題】ベース部材とカバー部材とで構成される収納ケースに対する不正開放行為の痕跡を一層確実に残存させ、ひいてはその不正開放行為を有効に防止し得る収納ユニット及び遊技機を提供すること。【解決手段】この収納ユニットは、ベース部材と、ベース部材に締結されるカバー部材と、カバー部材に対し締結部材の上部を覆うように取り付けられる蓋部材とを有し、蓋部材が取付方向に沿って上方から下方に向けて順に第１保護部、第２保護部及び第３保護部を有しており、第１保護部は、外部と第２保護部との間を実質的に遮断するように配置されており、第２保護部は、締結部材の取付方向に沿った上方移動を規制しており、第３保護部は、軸部よりも大径であって頭部よりも小径である開口部を有すると共に、開口部に締結部材の軸部を挿通させることにより締結部材の頭部が第３保護部の上方に位置するように配置される。【選択図】図５
2012223271.tif 000002
【特許請求の範囲】
【請求項１】
ベース部材と、
該ベース部材に対し特定の取付方向から締結部材を取り付けることにより締結されるカバー部材と、
該カバー部材に対し前記取付方向における前記締結部材の上部を覆うように取り付けられる蓋部材と、を有する遊技機用の収納ユニットであって、
前記締結部材は、軸部とその軸部の上方に位置して軸部よりも大径とされた頭部とを有すると共に、該軸部の一部に前記カバー部材と締結される締結部が形成されており、
前記蓋部材が前記取付方向に沿って上方から下方に向けて順に第１保護部、第２保護部及び第３保護部を有しており、
前記第１保護部は、外部と前記第２保護部との間を実質的に遮断するように配置されており、
前記第２保護部は、前記頭部の上方近傍に位置することにより、前記締結部材の前記取付方向に沿った上方移動を規制しており、
前記第３保護部は、前記軸部よりも大径であって前記頭部よりも小径である開口部を有すると共に、該開口部に前記軸部を挿通させることにより前記頭部が該第３保護部の上方に位置するように配置される、収納ユニット。
【請求項２】
前記開口部は、
前記頭部が下方から上方に向けて通過する際に上方に弾性変形して開口径を拡大することにより損傷されることなく該頭部の通過を許容する弾性を有すると共に、
前記頭部が上方から下方に向けて通過する際に該頭部により損傷される脆弱性を有する、請求項１に記載の収納ユニット。
【請求項３】
前記第３保護部は、
所定の肉厚を有する厚肉部と該厚肉部よりも薄肉とされた薄肉部とを有する構造とされており、
前記開口部は、
前記厚肉部に形成されて前記頭部より大径とされた大型開口と、前記薄肉部に形成されて前記頭部より小径とされた小型開口とを有して構成されている、請求項１又は請求項２に記載の収納ユニット。
【請求項４】
前記頭部の上面に、前記第２保護部を損傷させるための突起部が形成されており、
前記締結部材の軸中心から該突起部までの距離が、前記開口部の半径寸法未満とされている、請求項１から請求項３のうちいずれか１項に記載の収納ユニット。
【請求項５】
前記第１保護部及び前記第２保護部は、共に破断可能な樹脂膜で形成されており、かつ、共に透光性を有している、請求項１から請求項４のうちいずれか１項に記載の収納ユニット。
【請求項６】
前記蓋部材は、前記取付方向を長手方向とする略筒状部材とされており、
前記蓋部材の周面に形成された係合凸部又は係合凹部が前記ベース部材及び前記カバー部材の少なくともいずれか一方に係合することにより、前記カバー部材からの前記蓋部材の取外しが困難化されている、請求項１から請求項５のうちいずれか１項に記載の収納ユニット。
【請求項７】
遊技媒体を用いた遊技を実現する遊技装置体と、
該遊技装置体を保持する遊技機枠と、
請求項１から請求項６のうちいずれか１項に記載の収納ユニットと、を有する遊技機。
【発明の詳細な説明】
【技術分野】
【０００１】
本発明は、収納ユニット及び遊技機に係る。
【背景技術】
【０００２】
パチンコ機等の遊技機においては、弾球された遊技球が遊技領域（遊技盤面又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機においては、年々遊技の態様や演出が複雑化・多様化してきており、それに伴い遊技機の動作や演出を制御するための電子回路基板の構造や機能も複雑化・多様化してきている。このような電子基板に対して不正な破壊や改造が行われると、遊技が適正に行われなかったり、一部の不正な遊技者に対して不当な利益が付与されてしまったりするおそれがある。そのため、電子基板を基板ケースによって内包し、外部からアクセスし難く構成している。
【０００４】
例えば、特許文献１には、基板ケース同士を封印結合する結合ピンの一部に脆弱部を形成することにより、不正が行われた際に基板ケースに破壊の痕跡を確実に残すことを目的とした構成が開示されている。また、特許文献２には、変形して開封の痕跡を残す開封残痕部を有する封印手段を設けた遊技機が開示されている。
【先行技術文献】
【特許文献】
【０００５】
【特許文献１】特開２０１０−１７２４３７号公報
【特許文献２】特開２００４−１０５７１８号公報
【発明の概要】
【発明が解決しようとする課題】
【０００６】
しかしながら、基板ケースに限らず、不正アクセスや不正改造を予防したい構成物を収納する収納ケース等においても、その収納ケースの不正開放を一層確実に防止又は的確に発見したいという要望がある。収納ケースがネジ等の締結部材で締結されている場合に、その締結部材を不正に取り外そうとする行為を有効に防止し、不正行為の痕跡を一層確実に残存させる提案が望まれている。
【０００７】
本願発明は、上記の課題に鑑みて為されたもので、ベース部材とカバー部材とで構成される収納ケースに対する不正開放行為の痕跡を一層確実に残存させ、ひいてはその不正開放行為を有効に防止し得る収納ユニット及び遊技機を提供することを例示的課題とする。
【課題を解決するための手段】
【０００８】
上記の課題を解決するための例示的側面としての収納ユニットは、ベース部材と、ベース部材に対し特定の取付方向から締結部材を取り付けることにより締結されるカバー部材と、カバー部材に対し取付方向における締結部材の上部を覆うように取り付けられる蓋部材と、を有する遊技機用の収納ユニットであって、締結部材は、軸部とその軸部の上方に位置して軸部よりも大径とされた頭部とを有すると共に、軸部の一部にカバー部材と締結される締結部が形成されており、蓋部材が取付方向に沿って上方から下方に向けて順に第１保護部、第２保護部及び第３保護部を有しており、第１保護部は、外部と第２保護部との間を実質的に遮断するように配置されており、第２保護部は、頭部の上方近傍に位置することにより、締結部材の取付方向に沿った上方移動を規制しており、第３保護部は、軸部よりも大径であって頭部よりも小径である開口部を有すると共に、開口部に軸部を挿通させることにより頭部が第３保護部の上方に位置するように配置される。
【０００９】
他の例示的側面としての遊技機は、遊技媒体を用いた遊技を実現する遊技装置体と、遊技装置体を保持する遊技機枠と、上記の収納ユニットと、を有する。
【００１０】
本発明の更なる目的又はその他の特徴は、以下添付図面を参照して説明される好ましい実施の形態によって明らかにされるであろう。
【発明の効果】
【００１１】
ベース部材とカバー部材とで構成される収納ケースに対する不正開放行為の痕跡を一層確実に残存させ、ひいてはその不正開放行為を有効に防止することができる。
【図面の簡単な説明】
【００１２】
【図１】本発明の実施の形態に係るパチンコ機の正面図である。
【図２】図１に示すパチンコ機の背面図である。
【図３】主制御基板ケースの正面図である。
【図４】主制御基板ケースの分解斜視図である。
【図５】主制御基板ケースにおける封止部近傍の斜視図である。
【図６】主制御基板ケースにおける封止部近傍を部分的に拡大した断面図である。
【図７】カシメキャップの底面膜における開口部近傍を拡大した断面図である。
【図８】小型開口の具体的な構造の一例を示す分解図である。
【図９】ネジ頭が開口部を通過する様子を説明する図である。
【図１０】実施の形態に用いられるネジのネジ頭形状の例である。
【実施するための形態】
【００１３】
以下、実施の形態について図面を用いて説明する。図１は、本発明の実施の形態に係る基板ケースユニット（収納ユニット）４７（図３参照）を有する遊技機としてのパチンコ機２の正面図であり、図２は、図１に示すパチンコ機２の背面図である。このパチンコ機２は、遊技機枠３、遊技盤ユニット５、ガラス１０、発射ユニット（不図示）、球皿１４を有している。発射ユニットは、遊技盤ユニット５に構成される遊技領域１６に向けて１球ずつ遊技球２３を発射可能である。
【００１４】
本実施の形態においては、収納ユニットの例として、主制御基板３４を内部に収納する基板ケースユニット４７を例示して説明する。しかしながら、収納ユニットは、他の種々の電子基板（演出制御基板、払出制御基板、電源基板等）を収納するものであってもよい。また、電子基板以外にも、外部からの不正アクセスを防止する必要のある電子素子や構成物を内部に収納する収納ユニットであってもよい。
【００１５】
パチンコ機２は、遊技者が後述する発射装置ハンドル１５を操作することによって、遊技領域１６に向けて遊技球が発射ユニットによって発射され、遊技球の流下による遊技が実現される。なお、遊技機は、パチンコ機２の他にパチスロ機、スロットマシン、コインゲーム機等のアーケードマシン、各種ゲーム機を概念することができ、要するに、遊技媒体を用いた遊技を実現する種々の遊技機が含まれる。なお、本実施の形態１においては、遊技機としてパチンコ機を例として説明するので、後述する遊技盤６が遊技装置体に相当するが、例えば、遊技機がパチスロ機やスロットマシンである場合には、リール（回胴装置）が遊技装置体に相当する。
【００１６】
また、遊技機がパチンコ機である場合には、遊技媒体は遊技球（パチンコ球）であるが、遊技媒体としては、遊技球に限定されない。遊技機の種類によっては、例えば、コイン、メダル、ボール等種々の遊技媒体を概念することができる。
【００１７】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００１８】
本願においては、一般的な方向の定義として、パチンコ機を正面（遊技者側）から見た場合における方向で上下左右方向を定義する。また、遊技者からパチンコ機に向かう方向を後方、パチンコ機から遊技者に向かう方向を前方と定義する。部材やユニット等の詳細部分については、個別に別方向の名称を用いる場合もある。
【００１９】
パチンコ機２の遊技機枠３は、後述する遊技盤ユニット（遊技装置体）５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００２０】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。
【００２１】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。
【００２２】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００２３】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００２４】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００２５】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００２６】
遊技釘２７は、遊技領域１６を流下する遊技球２３と衝突してその流下方向を変更させる流下変更部材であり、遊技領域１６内に多数配置されている。また、遊技領域１６には、普通入賞口２８、始動入賞口２９、大入賞口３１等の入球部材及びアウト口３０が配置されている。更に、遊技領域１６には、ゲート３３、風車２５等が配置されており、流下する遊技球２３が各入球部材に流入したり、ゲート３３を通過したり、風車２５を回転させたりすることによって、遊技球２３による流下遊技を楽しむことができるようになっている。
【００２７】
センター役物７は、演出表示装置７ａの周囲を覆うように構成されており、図柄変動遊技（１種遊技）を実現するものである。センター役物７の上部には、図柄表示手段としての第１図柄（特別図柄）表示装置１７が配置されると共に、センター役物７の中央部には、演出表示装置７ａが配置されている。
【００２８】
第１図柄（特別図柄）表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００２９】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００３０】
図２に示すように遊技盤６の裏面側には、パチンコ機２の全体の制御を行う電子基板としての主制御基板３４を収納する主制御基板ケース（収納ケース）３５と、演出表示装置７ａの画像表示等演出の制御等を行う演出制御基板（図示せず）を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００３１】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球の払出し契機となり、あるものはいずれの入球装置にも流入せずに遊技領域１６内最下部に位置するアウト口３０に流入してアウト球としてパチンコ機２の外部側へと排出される。
【００３２】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００３３】
次いで、主制御基板３４及びこの主制御基板３４を収納する主制御基板ケース３５について図３及び図４を用いて詳細に説明する。以下の説明においては、上下及び前後左右の方向は、遊技者からパチンコ機２を見た際の方向に基づいて定義し、図中に適宜図示する。なお、本実施の形態では、主制御基板３４及び主制御基板ケース３５について例示して説明するが、他の制御基板ケースについても同様の構造を採用することが可能である。
【００３４】
図３は、主制御基板３４を収容した主制御基板ケース３５の正面図であり、図４は、主制御基板３４及び主制御基板ケース３５の分解斜視図である。
【００３５】
主制御基板ケース３５は、遊技盤の裏面に装着されるカバーケース（カバー部材）３５ａと、カバーケース３５ａに対して着脱自在に固定される本体ケース（ベース部材）３５ｂとの２つの基板ケースを有し、これら両者が協働して主制御基板３４を内部に収納する。主制御基板３４は、本体ケース３５ｂの内面側に形成された開口部に固定されて、本体ケース３５ｂとカバーケース３５ａとが係合することにより、主制御基板ケース３５の内部に収容されるようになっている。この収容された状態では、主制御基板３４に対して外部から接触することはできない。
【００３６】
主制御基板３４は、板状の基板３４ａと、基板３４ａの表面３４ｄに実装された電子部品と、を備えている。電子部品は、ＲＯＭ、ＲＡＭ、ＣＰＵ等の集積回路３４ｂと、接続コネクタ３４ｃと、を有して構成されている。
【００３７】
主制御基板３４の周囲には、本体ケース３５ｂに固定するための固定穴３４ｆが形成されている。主制御基板３４の後側から固定穴３４ｆに固定ネジを挿入して、この固定ネジと本体ケース３５ｂのネジ穴（図示せず）とをネジ止めすることにより、主制御基板３４が本体ケース３５ｂ内に固定されるようになっている。
【００３８】
図４に示す主制御基板ケース３５の下側部には、ヒンジ部が設けられている。ヒンジ部は、主制御基板ケース３５の下側壁面に沿った軸部（図示せず）と、この軸部に係止される円弧状の弧状爪部３５ｅと、を有して構成され、軸部は本体ケース３５ｂに形成され、弧状爪部３５ｅはカバーケース３５ａに形成されている。本体ケース３５ｂはカバーケース３５ａに対して軸部を中心として揺動可能に支持されており、本体ケース３５ｂがカバーケース３５ａに対して回転移動することより、主制御基板ケース３５の開口部を開放した開状態と閉鎖した閉状態とを実現する。
【００３９】
＜封止部の説明＞
主制御基板ケース３５の上側部には、封止部４１が設けられている。本実施の形態においては、主制御基板ケース３５の下側部にヒンジ部が設けられ、上側部に封止部４１が設けられる例について説明するが、封止部４１が主制御基板ケース３５のどの位置に設けられるかは、設計上変更可能な事項である。また、本実施の形態においては、カバーケース３５ａと本体ケース３５ｂとがヒンジ部を中心として揺動開閉可能であるが、カバーケース３５ａと本体ケース３５ｂとがどのような態様で開閉可能であるかについても設定的に変更可能な事項である。例えば、両ケースが左右方向にスライド移動することによりスライド開閉可能であってもよい。
【００４０】
図５は、封止部４１近傍の斜視図であって、図６は、封止部４１近傍を部分的に拡大した断面図である。封止部４１においては、本体ケース３５ｂ側の取付面４２に対し、カバーケース３５ａ側の凹部４３の底面４４がネジ（締結部材）４５によって取り付けられ、その凹部４３にカシメキャップ（蓋部材）４６が挿入されている。本体ケース３５ｂ、カバーケース３５ａ及びカシメキャップ４６を有して基板ケースユニット４７が構成される。
【００４１】
凹部４３は、カバーケース３５ａの一部に形成された略円筒形状の穴であって、その底面４４の中心にネジ４５を貫通させるための貫通孔４４ａが形成されている。貫通孔４４ａに対応する取付面４２上の位置には、ネジ４５を螺着するためのネジ穴４２ａが形成されている。本体ケース３５ｂに対し、カバーケース３５ａを閉鎖した状態で取付面４２と底面４４とが合わさって、特定の取付方向（図５中の矢印Ｘ方向）からネジ４５を取り付けることにより、本体ケース３５ｂとカバーケース３５ａとが締結されるようになっている。なお、図５、図６において、矢印Ｘ方向は特定の取付方向を示しており、図中の上方向を特定の取付方向における上方とする。
【００４２】
本実施の形態において、ネジ４５は、図１０にその外観を示すように、段付きネジとされている。ネジ４５は軸部４５ａとその軸部４５ａの上方に位置するネジ頭４５ｂ（頭部）とを有している。軸部４５ａの一部であってネジ頭４５ｂ寄りの部分は、略円柱形状の太軸部４５ｅとされており、その太軸部４５ｅの下方から先端４５ｃまでが、ネジ部４５ｆとされている。ネジ部４５ｆは太軸部４５ｅよりも小径とされており、ネジ穴４２ａに螺合する。太軸部４５ｅとネジ部４５ｆとの接合部分が段付き部４５ｇとなっている。
【００４３】
ネジ頭４５ｂは、軸部４５ａの太軸部４５ｅよりも大径とされており、その上面に“＋”又は“−”等のドライバー挿込み穴が形成されている。ドライバー挿込み穴にドライバーを挿し込んでネジ４５を回転（右回転）させることにより、ネジ部４５ｆがネジ穴４２ａと螺合してネジ４５が下方（矢印Ｘ方向）に進行する。段付き部４５ｇが凹部４３の底面４４を取付面４２へと締結する。このとき、太軸部４５ｅは、底面４４より上方の凹部４３内に存在しており、カシメキャップ４６の取付けによって太軸部４５ｅが開口部４６ｇを貫通する。
【００４４】
ネジ４５によって底面４４と取付面４２とを締結した後に、凹部４３にはカシメキャップ４６が挿入されて取り付けられる。したがって、凹部４３の内面形状よりもカシメキャップ４６の筒状部４６ｂの外周形状は小さく形成されている。例えば、本実施の形態において説明するように、筒状部４６ｂが矢印Ｘ方向に延びる円筒形状である場合には、凹部４３は、それよりも外径が大きく矢印Ｘ方向に延びる円筒形状であってもよい。また、例えば、筒状部４６ｂの断面径が下方に向かって小さくなるようになっていてもよい。
【００４５】
カシメキャップ４６は、最上方に位置するキャップ部４６ａの下方に中空とされた略円筒形状の筒状部４６ｂが延びて構成されている。キャップ部４６ａは、外周形状が凹部４３の内面形状よりも大きくされており、凹部４３にカシメキャップ４６が挿入されたときにもキャップ部４６ａが凹部４３内に落ち込んでしまわないようになっている。
【００４６】
キャップ部４６ａの下方であって筒状部４６ｂの中空内部には、上方保護膜（第１保護部）４６ｃが形成されている。上方保護膜４６ｃは、ネジ４５が不正に取り外されることにより、主制御基板ケース３５が不正開放されてしまうのを防止するためのものである。
【００４７】
上方保護膜４６ｃは、キャップ部４６ａと後述する下方保護膜（第２保護部）４６ｄとの間に、キャップ部４６ａと下方保護膜４６ｄとを実質的に遮断するように配置されている。その結果、主制御基板ケース３５の外部とネジ４５との間を実質的に遮断し、上方保護膜４６ｃを破壊しない限り外部からネジ４５へのアクセスが殆どできないようになっている。
【００４８】
ここで、実質的に遮断する、とは、筒状部４６ｂの内面全体に上方保護膜４６ｃが形成されて、筒状部４６ｂの内面を完全に閉鎖する状態のみならず、例えば部分的に上方保護膜４６ｃに小さな孔や切欠きが存在しても、ドライバーやピアノ線等の不正工具が上方保護膜４６ｃの破壊なしにネジ４５へと到達することができない状態をも含む趣旨である。
【００４９】
上方保護膜４６ｃは、本実施の形態においては、樹脂薄膜（プラスチックフィルム）で形成され、筒状部４６ｂの内面全体を閉鎖している。そして、上方保護膜４６ｃは、透光性を有して透明又は半透明とされており、上方保護膜４６ｃを介して外部から上方保護膜４６ｃの下方（すなわち、下方保護膜４６ｄやネジ４５）を視認可能とされている。
【００５０】
上方保護膜４６ｃが樹脂薄膜で形成され、破断可能とされているので、外部からキャップ部４６ａを介してドライバーやピアノ線等の不正工具を挿入しようとすると、上方保護膜４６ｃが容易に破断されてしまう。上方保護膜４６ｃの破断は、外部から簡単に視認可能であり、不正行為の痕跡を容易に発見し得る。したがって、不正行為の発見を恐れる不正行為者の心理を利用して、効果的に不正行為の防止に寄与している。
【００５１】
上方保護膜４６ｃが破断可能な樹脂膜であれば、上述のように、不正行為の痕跡を容易に発見することができるという効果が得られる。また、上方保護膜４６ｃが透光性を有していれば、その下方の下方保護膜４６ｄやネジ４５の状態を外部から容易に視認することができ、その結果、下方保護膜４６ｄやネジ４５における不正痕跡も容易に発見することができるという効果が得られる。
【００５２】
しかしながら、第１保護部に上方保護膜４６ｃの代わりに例えば一定の強度を有する金属板を適用することももちろん可能である。この場合には、第１保護部が“破断可能であって不正行為の痕跡を容易に発見することができる”という効果の代わりに、“そもそも破断が困難で、外部からネジ４５へのアクセスを困難とする”という効果を得ることができる。その場合には、第１保護部を介して下方が視認不可能となるが、例えば、後述するように第２保護部も金属板として主制御基板ケース３５の下方からの不正行為も困難なものとすればよい。
【００５３】
上方保護膜４６ｃの破断強度が部分的に変化するように構成されていてもよい。例えば、上方保護膜４６ｃの中央近傍の膜厚が薄くされ、その周囲近傍の膜厚が厚くされることにより、中央近傍における破断強度が弱く、周囲近傍における破断強度が強くされていてもよい。不正工具が挿入されたときに集中的に中央近傍が破断されるので、破断箇所を１箇所に集約させることができ、不正行為痕跡の発見容易、早期発見に寄与する。
【００５４】
また、逆に、上方保護膜４６ｃの中央近傍の膜厚が厚くされ、その周囲近傍の膜厚が薄くされることにより、中央近傍における破断強度が強く、周囲近傍における破断強度が弱くされていてもよい。不正工具が挿入されたときに中央近傍が破断されにくく、結果として、不正工具の先端が周囲近傍に導かれる。中央近傍の下方に位置するネジ４５へとドライバー等の不正工具の先端が到達しにくくなる、という効果を得る。
【００５５】
上方保護膜４６ｃの下方であって筒状部４６ｂの中空内部には、下方保護膜（第２保護部）４６ｄが形成されている。下方保護膜４６ｄも、ネジ４５が不正に取り外されることにより、主制御基板ケース３５が不正開放されてしまうのを防止するためのものである。
【００５６】
下方保護膜４６ｄは、カシメキャップ４６が凹部４３に挿入取付けされた状態において、ネジ４５のネジ頭４５ｂの上方近傍に位置するようになっている。本実施の形態における下方保護膜４６ｄの材質、構成、構造については、上方保護膜４６ｃと略同様である。しかし、下方保護膜４６ｄの材質等は、上方保護膜４６ｃと同様に、種々のバリエーションが適用できる。
【００５７】
下方保護膜４６ｄは、ネジ頭４５ｂの上方位置に配置される。より具体的には、ネジ頭４５ｂから下方保護膜４６ｄまでの距離は、ネジ４５のネジ穴４２ａへの螺合長さ未満であることが必要である。例えば、取付面４２の下方から本体ケース３５ｂに不正に穴を開け、ネジ４５の先端４５ｃ側からネジ４５を取外し方向に回転させて主制御基板ケース３５を不正開放しようとする不正行為がある。しかしながら、下方保護膜４６ｄがネジ頭４５ｂの上方近傍に配置されているので、ネジ４５が取り外される前に上方移動によりネジ頭４５ｂが下方保護膜４６ｄに接触する。それ以上、無理にネジ４５を取り外そうとすると、ネジ頭４５ｂが下方保護膜４６ｄを破断するので、その不正行為の痕跡が確実に残存することとなる。
【００５８】
不正行為の痕跡が確実に残存するので、不正行為の発見を恐れる不正行為者の心理を利用して、効果的に不正行為の防止に寄与している。また、上方保護膜４６ｃも下方保護膜４６ｄも透光性を有しているので、下方保護膜４６ｄの破断の痕跡を、外部から容易に視認することができる。
【００５９】
もちろん、第１保護部が一定の強度を有する金属板である場合に、第２保護部も一定の強度を有する金属板であってもよい。この場合、第２保護部は、ネジ４５の上方移動により破断しないが、その強度に基づき、ネジ４５の上方移動を阻止する。その結果、ネジ４５の不正な取外し行為自体を困難とすることができる。なお、下方保護膜４６ｄが筒状部４６ｂの全体を完全に閉鎖してもよく、部分的に小孔や切欠きが形成されていてもよい点は、上方保護膜４６ｃと同様である。
【００６０】
なお、本実施の形態に係るカシメキャップ４６には、図５、図６に示すように、その筒状部４６ｂの周面に進退可能なフック（係合凸部）４６ｅが設けられていてもよい。そして、カシメキャップ４６の取付け時におけるフック４６ｅの位置に対応する凹部４３の内面に、フック４６ｅが係合する鉤穴（係合凹部）４３ａが形成されていてもよい。カシメキャップ４６の取付け時に、このフック４６ｅと鉤穴４３ａとが係合することにより、カシメキャップ４６の凹部４３からの取外しを困難化することができ、不正防止に一層の効果を得ることができる。「取外しが困難」とは、実質的に取外しが不可能な場合を含むが、取外しが非常に難しい場合、取外しが可能であるが取外した場合に破損してその機能の一部を失う場合等も含む。
【００６１】
この実施の形態においては、鉤穴４３ａがカバーケース３５ａの凹部４３に形成される場合について説明しているが、もちろん設計上の都合に応じて、鉤穴４３ａを本体ケース３５ｂ側に形成するかカバーケース３５ａ側に形成するかは自由である。フック４６ｅは、形成された鉤穴４３ａに対応する位置に設ければよい。
【００６２】
下方保護膜４６ｄの更に下方であって筒状部４６ｂの中空内部には、底面膜（第３保護部）４６ｆが形成されている。この底面膜は、ネジ４５及びカシメキャップ４６の取付状態において、ネジ頭４５ｂの下方に位置する。下方保護膜４６ｄの略中央近傍であって、ネジ４５に対応する位置には、開口部４６ｇが開口形成されている。カバーケース３５ａと本体ケース３５ｂとをネジ４５によって締結し、その後にカシメキャップ４６を凹部４３に挿入取付けすることにより、ネジ頭４５ｂが開口部４６ｇを下から上に貫通し、底面膜４６ｆと下方保護膜４６ｄとの間に位置することとなる。
【００６３】
図７は、底面膜４６ｆにおける開口部４６ｇ近傍を拡大した断面図である。本実施の形態においては、底面膜４６ｆは、比較的強度の高い高強度板部４６ｈとその高強度板部４６ｈよりも強度の低い低強度板部４６ｊとが重ね合された二重構造を有している。高強度板部４６ｈは、例えば、上下方向（矢印Ｘ方向）の肉厚が厚い厚肉樹脂板（厚肉部）とされ、低強度板部４６ｊは、上下方向の肉厚が薄い薄肉樹脂板（薄肉部）とされていてもよい。もちろん、肉の厚さでなく、材質や形状、構造等の相違によって高強度板部４６ｈと低強度板部４６ｊとが構成されていてもよい。低強度板部４６ｊは、高強度板部４６ｈの上面に重ね合わされている。
【００６４】
高強度板部４６ｈには、大型開口４６ｋが形成され、低強度板部４６ｊには、小型開口４６ｍが形成されており、大型開口４６ｋと小型開口４６ｍとが重なることにより開口部４６ｇが構成されている。高強度板部４６ｈは、殆ど弾性を有していない。そして、大型開口４６ｋの直径Ｄ２は、ネジ頭４５ｂの直径Ｄ１よりも大きくされている（Ｄ２＞Ｄ１）。したがって、大型開口４６ｋはネジ頭４５ｂの通過を許容する。
【００６５】
図８は、小型開口４６ｍの具体的な構造の一例を示す分解図である。この図において、小型開口４６ｍは、複数の切欠きによって小片に分離された複数の弾性片４６ｎによって構成されている。小型開口４６ｍの直径Ｄ３は、ネジ頭４５ｂの直径Ｄ１よりも小さくされている（Ｄ３＜Ｄ１）。低強度板部４６ｊは弾性を有している。そして、小型開口４６ｍは、ネジ頭４５ｂが下から上に通過するときに、低強度板部４６ｊが有する弾性に基づいて上方に弾性変形して実質的にその開口径Ｄ３を拡大し、ネジ頭４５ｂの通過を許容するようになっている（図９（ａ））。
【００６６】
一方、ネジ頭４５ｂが上から下に通過しようとするときには、小型開口４６ｍの下方への弾性変形が、低強度板部４６ｊの下側で高強度板部４６ｈによって支持されることにより阻止される。その結果、小型開口４６ｍの開口径Ｄ３は拡大せず、ネジ頭４５ｂが小型開口４６ｍを通過することができない。したがって、取付状態のカシメキャップ４６を上方（−Ｘ方向）に引き抜いて取り外そうとしても、ネジ頭４５ｂが小型開口４６ｍを通過することができず、カシメキャップ４６を取り外すことができない。
【００６７】
ここで、小型開口４６ｍが、脆弱性を有していれば、カシメキャップ４６を無理に取り外そうとした場合に、ネジ頭４５ｂに小型開口４６ｍを損傷させることができる。すなわち、カシメキャップ４６を取り外す際に、ネジ頭４５ｂが小型開口４６ｍを損傷させつつ無理やり押し広げて下方に通過するように構成することができる。損傷の程度は、キズや折り痕が付く程度であってもよいし、ネジ頭４５ｂと高強度板部４６ｈの大型開口４６ｋとでせん断されるものであってもよい（図９（ｂ））。
【００６８】
小型開口４６ｍに損傷の痕跡が残るので、カシメキャップ４６が無理に（不正に）取り外されたことを容易に発見することができる。不正行為の早期発見に寄与するので、結果的に不正行為者の不正行為を予防することができる。
【００６９】
図１０は、この実施の形態に用いられるネジ４５のネジ頭４５ｂ形状の例である。ネジ頭４５ｂとしては、通常のナベネジ用のもの、皿ネジ用のもの、トラスネジ用のもの等を適用することもできるが、本実施の形態においては、ネジ頭４５ｂの上面に、下方保護膜４６ｄの破断を容易とするための、上方突起（突起部）４５ｄが上方に向けて突出形成されている。ネジ４５の不正な取外し行為によって、上方突起４５ｄが下方保護膜４６ｄをキズ付け、その破断を容易とする。
【００７０】
また、ネジ頭４５ｂの下面には、小型開口４６ｍへ損傷を与えるための、下方突起４５ｈが下方に向けて突出形成されている。カシメキャップ４６を不正に取り外そうとすると、下方突起４５ｈが小型開口４６ｍを損傷させ、不正行為の痕跡を残存させる。なお、ネジ４５の中心軸から上方突起４５ｄまでの距離Ｌ５は小型開口４６ｍの直径Ｄ３の１／２（すなわち、小型開口４６ｍの半径）よりも小さくされることが好ましい（Ｌ５＜Ｄ３／２）。カシメキャップ４６の取付けの際に、ネジ頭４５ｂが小型開口４６ｍを下から上に通過するが、Ｌ５＜Ｄ３／２とされていれば、上方突起４５ｄによる小型開口４６ｍへの損傷を防止することができる。
【００７１】
また、ネジ４５の中心軸から下方突起４５ｈまでの距離Ｌ６は小型開口４６ｍの直径Ｄ３の１／２（すなわち、小型開口４６ｍの半径）よりも大きくかつ大型開口４６ｋの直径Ｄ２の１／２（すなわち、大型開口４６ｋの半径）よりも小さくされることが好ましい（Ｄ３／２＜Ｌ６＜Ｄ２／２）。カシメキャップ４６が不正に取り外される際に、下方突起４５ｈに小型開口４６ｍのみを的確に損傷させることができる。
【００７２】
以上、本発明の好ましい実施の形態を説明したが、本発明はこれらに限定されるものではなく、その要旨の範囲内で様々な変形や変更が可能である。
【００７３】
例えば、本実施の形態においては、高強度板部と低強度板部とが各々別々の構成が重ね合わされた二重構造として説明しているが、もちろん両者が一体的に構成され、肉厚を変化させることにより高強度部分と低強度部分とを実現してもよい。すなわち、一体部品の肉厚の厚い部分で大型開口を形成し、肉厚を薄い部分で小型開口を形成してももちろんよい。
【符号の説明】
【００７４】
Ｄ１：ネジ頭の直径
Ｄ２：大型開口の直径
Ｄ３：小型開口の直径
Ｄ４：軸部の直径
Ｌ５：ネジの軸中心から上方突起までの距離
Ｌ６：ネジの軸中心から下方突起までの距離
Ｘ：矢印
２：パチンコ機（遊技機）
３：遊技機枠
４：外枠
５：遊技盤ユニット（遊技装置体）
６：遊技盤
６ａ：遊技盤面
７：センター役物
７ａ：演出表示装置
７ｂ：表示部
７ｃ：表示図柄
７ｄ：表示開口部
９：前枠
１０：ガラス
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄）表示装置
２２：ヒンジ
２３：遊技球
２５：風車
２６：レール飾り
２６ａ：外レール
２７：遊技釘
２８：普通入賞口
２９：始動入賞口
３０：アウト口
３１：大入賞口
３２：装飾部材
３３：ゲート
３４：主制御基板（電子基板）
３４ａ：基板
３４ｂ：集積回路
３４ｃ：接続コネクタ
３４ｄ：表面
３４ｆ：固定穴
３５：主制御基板ケース（収納ケース）
３５ａ：カバーケース（カバー部材）
３５ｂ：本体ケース（ベース部材）
３５ｅ：弧状爪部
３６：演出制御基板ケース
３７：払出制御基板ケース
３８：電源基板ケース
３９：外部出力端子板
４１：封止部
４２：取付面
４２ａ：ネジ穴
４３：凹部
４３ａ：鉤穴（係合凹部）
４４：底面
４４ａ：貫通孔
４５：ネジ（締結部材）
４５ａ：軸部
４５ｂ：ネジ頭
４５ｃ：先端
４５ｄ：上方突起（突起部）
４５ｅ：太軸部
４５ｆ：ネジ部
４５ｇ：段付き部
４５ｈ：下方突起
４６：カシメキャップ（蓋部材）
４６ａ：キャップ部
４６ｂ：筒状部
４６ｃ：上方保護膜（第１保護部）
４６ｄ：下方保護膜（第２保護部）
４６ｅ：フック（係合凸部）
４６ｆ：底面膜（第３保護部）
４６ｇ：開口部
４６ｈ：高強度板部（厚肉部）
４６ｊ：低強度板部（薄肉部）
４６ｋ：大型開口（開口部の一部）
４６ｍ：小型開口（開口部の一部）
４６ｎ：弾性片
４７：基板ケースユニット（収納ユニット）
【図１】
2012223271.tif 000003
【図２】
2012223271.tif 000004
【図３】
2012223271.tif 000005
【図４】
2012223271.tif 000006
【図５】
2012223271.tif 000007
【図６】
2012223271.tif 000008
【図７】
2012223271.tif 000009
【図８】
2012223271.tif 000010
【図９】
2012223271.tif 000011
【図１０】
2012223271.tif 000012